(57)【要約】【課題】      家庭や施設などで個々人が読み聞かせを行なう際に、場面に応じた音(音楽や効果音)を容易に発生する。【解決手段】印刷物に印刷された印刷情報に対応する音をサーバに接続可能な端末から発生する音であって、発生システム端末は、印刷物に付され、印刷情報に対応する第一情報と読み取る読取手段と、読み取った第一手段をサーバに送信し、サーバから送信された音情報を受信する送受信手段と、音情報に基づく音を発生する音発生手段と、を備え、サーバは、第一情報に対応付けられた音情報を端末に提供する提供手段を備える音発生システム。【選択図】図１
2020187245.tif 000002
【特許請求の範囲】
【請求項１】
印刷物に印刷された印刷情報に対応する音をサーバに接続可能な端末から発生する音発生システムであって、端末は、印刷物に付された印刷情報に対応する第一情報を読み取る読取手段と、読み取った第一情報をサーバに送信し、サーバから送信された第一情報に対応する音情報を受信する送受信手段と、音情報に基づく音を発生する音発生手段と、を備え、サーバは、第一情報に対応付けられた音情報を端末に提供する提供手段を備える音発生システム。
【請求項２】
印刷物には、印刷情報の内容に対応付けられた第二情報が印刷されており、提供手段は、第二情報に対応付けられた音情報を端末に提供可能である請求項１に記載の音発生システム。
【発明の詳細な説明】
【技術分野】
【０００１】
本発明は絵本の読み聞かせにおける、場面に応じた音(音楽、効果音)を提供するサービスに好適な音発生システムに関する。
【背景技術】
【０００２】
一般的に行われている絵本の読み聞かせは、語り手による「語り」のみで行われる。場面の臨場感を表現するために、語り手個々人の演出や工夫によって、聞き手は読み聞かせを提供してもらう時間を楽しんでいる。
【０００３】
読み聞かせは家族間、高齢者施設などで、行われることが多い。ときに、語り手がいない場合は絵本のお話をあらかじめ録音しておき、施設の作業従事者等が語りの音に合わせてページをめくって、読み聞かせの時間とすることがある。
【０００４】
なお、特に幼児向け絵本に音声等を発生するユニット本体を接続し、頁をめくる等の所定の操作により音声等を発生することができる音声発生絵本ユニットは従来より知られている (特許文献１参照)。
【先行技術文献】
【特許文献】
【０００５】
【特許文献１】特開2013-99401号公報
【発明の概要】
【発明が解決しようとする課題】
【０００６】
特許文献１の開示の技術は、絵本に音声などを発生するユニット本体を接続し、
頁をめくる等の所定の操作により音声等を発生することができる音声発生ユニットということで、特定の絵本に対応した音声発生ユニットが必要である点、絵本に音声発生ユニットを接続する必要がある点において、簡便性に欠けるものである。
【課題を解決するための手段】
【０００７】
この発明は、印刷物(絵本)に印刷された印刷情報に対応する音(音楽、効果音)を、サーバに接続可能な端末から発生する音であって、発生システム端末は、印刷物に付され、印刷情報に対応する第一情報と読み取る読取手段と、読み取った第一情報をサーバに送信し、サーバから送信された第一情報に対応する音情報を受信する送受信手段と、音情報に基づく音を発生する音発生手段と、を備え、サーバは、第一情報に対応付けられた音情報を端末に提供する提供手段を備える音発生システムである。
【０００８】
印刷物には、印刷情報の内容に対応付けた第二情報が印刷されており、提供手段は、第二情報に対応付けられた音情報を端末に提供可能である請求項１に記載の音発生システムである。
【発明の効果】
【０００９】
この発明は、「読み聞かせ」において、印刷物に応じた音（音楽や効果音）を、情報端末から容易に発生することが可能である。
【００１０】
印刷物には、印刷情報の内容、音情報とに対応付けられた第二情報が印刷されており、新刊の印刷物には印刷時に音情報に対応付けられた第二情報を表記するだけで、本発明の音発生システムを容易に使用することができる。
【図面の簡単な説明】
【００１１】
【図１】本発明の実施形態に係る音発生システムの概要を説明する図である。
【図２】本発明の実施形態に係る機能構成を説明する図である。
【図３】本発明の実施形態に係る印刷物の一例を示す図である。
【図４】本発明の実施形態に係る処理フォローを示す図である。
【図５】本発明の実施形態に係る操作態様を説明する図である。
【図６】本発明の実施形態に係る操作態様を説明する図である。
【図７】本発明の実施形態に係る操作態様を説明する図である。
【発明を実施するための形態】
【００１２】
以下に、本発明に係る音発生システムの好適な実態の一形態を、添付図面に従い、詳細に説明する。なお、本発明に係る音発生システムの要旨とするところは特許請求範囲の記載に基づいて特定されるべきものであって、以下の実施形態は単にその一具体例を示すものに過ぎないことは言うまでもない。
【００１３】
＜システムの概要について＞
図１に示されているように、この音情報提供システムは二次元バーコード２と印刷物１とが付された音情報提供サーバ５と、音情報提供サーバ５にインターネットを介して接続された携帯端末３と、を含んで構成されている。
【００１４】
印刷物１に表示され、第一情報を示す二次元バーコード２を携帯端末３（スマートフォン、タブレット）の内蔵カメラで撮影し、インターネット４を介して、音情報提供サーバ５に第一情報を送信する。
【００１５】
音情報提供サーバ５は受信した第一情報に対応付けられた音情報を所定の記憶部を参照して抽出し、インターネット４を介し携帯端末３に送信する。
＜情報提供サーバについて＞
【００１６】
音情報提供サーバ５のハードウェア構成の一例を図２で示している。
【００１７】
図２に示されるように、音情報提供サーバ５は、サーバ装置の全体制御を司る制御部８と、情報提供用のプログラムや各種データ等を記憶する記憶部９と、外部機器とLANまたはインターネットを介して通信を行う通信部10と、外部機器との入出力を行うインターフェイス部６と、入力操作を行うための入力操作部７からなっている。携帯端末３及び音情報システム５におけるこのような機能は、例えばマイクロコンピュータ（マイクロプロセッサ、システムプログラムROM、ワークRAM等で構成）を用いて、実現することができる。
【００１８】
図3は印刷物1に二次元バーコード２が表示されたものである。
【００１９】
図4は図1の情報提供サーバ５と携帯端末３とのインターネット4経由のやり取りのフローチャート図である。
同図において、右側の縦一列に並んだ一連の処理は携帯端末３側で実行される処理である。
左側の縦一列に並んだ一連の処理は音情報提供サーバ５で実行される処理である。
【００２０】
印刷物１を取得したユーザは図１で示すように印刷物の二次元バーコード２を自己が所有する携帯端末３の内蔵カメラで読み取る。
【００２１】
ステップS1において、携帯端末３は印刷物の第一情報二次元バーコード２を取得する。
【００２２】
ステップS2において、取得した第一情報二次元バーコード２をサーバ側に送信する。
【００２３】
ステップS3において、音声情報提供サーバ５は携帯端末３から送られた第一情報２を受信する。
【００２４】
ステップS4において、 サーバ側の記憶部９から各種の音情報を抽出する。この音情報には、印刷物の内容に対応した音を携帯端末３で発生するための情報が含まれている。
【００２５】
ステップS5において、抽出した音情報を携帯端末３に送信する。
【００２６】
ステップS6において、サーバ側からの音情報を受信する。
【００２７】
ステップS7において、携帯端末３の画面に図７に示す操作画面を表示する。
【００２８】
ステップS8 において、携帯端末３は、操作画面に対するユーザの操作に基づき、印刷物1に印刷された第二情報が指定を受け付ける。
【００２９】
ステップS9において、携帯端末３はステップS６で受信した音情報において
ステップS8で受け付けた第二情報に対応付けられた音を発生する。
【００３０】
ステップS9において、携帯端末３の画面の所定位置をタップすると音が発生
または止まる。
【００３１】
図５は印刷物1に表示された二次元バーコード２を携帯端末３に内蔵されたカメラで読み取る方法を示した図である。
【００３２】
図6は印刷物1の中に第二情報が表示されている図である。
印刷物の文中に数字で表記された第二情報が印刷されているもの（例えば「１」）、
数字とBGが表記されたもの（例えば「BG２」）がある。
【００３３】
図7は携帯端末３に表示された操作画面（わくわくサウンドBOX 表示画面）である。
画面にはそれぞれの第二情報に対応付けられたボタンが複数表示される。
【００３４】
ユーザは印刷物（例えば「絵本」）の本文を読みながら第二情報に対応するボタンをタップすると音情報提供サーバ５を介して音が発生される。
【００３５】
ユーザは「１」のように数字のみが表記されているボタンを操作した場合には、音の発生が終了してから印刷物の本文を読む。
【００３６】
ユーザは「２BG」のように数字とBGが表記されているボタンを操作した場合には、しばらく音を聞きながら読み始める。
【００３７】
いずれのボタンもタップすると赤色のボタンに色が変わる。
第二情報の文中に従い２BG をタップすると音は消える。
＜本発明の応用＞
【００３８】
本発明の音発生システムは印刷物に付された印刷情報によって、紙芝居においても同様の操作方法で使用できるものである。
【００３９】
本発明の音発生システムは印刷物に付された印刷情報によって、語学学習、ネイティブスピーカーの発音の学習においても同様の操作方法で学習できるものである。
【００４０】
本発明の音発生システムは印刷物に付された印刷情報によって、美術館、博物館等の音声ガイドにおいても同様の操作方法で使用できるものである。
【００４１】
本発明の音発生システムは印刷物に付された印刷情報によって、観光案内においても同様の操作方法で使用できるものである。
【００４２】
本発明の音発生システムは、印刷物（書籍、新聞等）に付された印刷情報によって、告知の内容や情報を同様の操作方法で提供することができるものである。
【符号の説明】
【００４３】
１  二次元バーコードが表示されている印刷物
２  二次元バーコード
３  携帯端末（スマートフォン、タブレット）
４  インターネット
５  音情報提供サーバ
６  インターフェイス
７  入力操作部
８  制御部
９  記憶部
10  通信部
11  携帯端末全体表示画面
12  携帯端末表示画面（わくわくサウンドBOX） 
13  携帯端末の操作表示ボタン
14  操作表示ボタンを押し音がスタートすると赤に変わる
【図１】
2020187245.tif 000003
【図２】
2020187245.tif 000004
【図３】
2020187245.tif 000005
【図４】
2020187245.tif 000006
【図５】
2020187245.tif 000007
【図６】
2020187245.tif 000008
【図７】
2020187245.tif 000009